(57)【特許請求の範囲】
【請求項１】
受信したカラオケ曲の予約情報をカラオケ端末装置別に格納する予約情報格納手段と、複数のカラオケ端末装置が同じグループであることを表すグループ情報を入力する入力手段と、前記入力手段により入力されたグループ情報を格納する端末グループ情報格納手段とを備えた中央装置と、
伝送回線を通じて中央装置と接続されており、カラオケ曲の予約情報を入力する端末入力手段と、受信したカラオケ曲の予約情報をカラオケ端末装置別に格納する端末予約情報格納手段と、前記端末予約情報格納手段に格納されているカラオケ曲の予約情報を合成した画像データを作成してカラオケ曲の演奏に対応させて表示する表示手段とを備えた複数のカラオケ端末装置とからなるカラオケ集中管理システムであって、
前記中央装置は一のカラオケ端末装置から受信したカラオケ曲の予約情報を前記予約情報格納手段に格納するとともに、前記端末グループ情報格納手段からグループ情報を読み込んで一のカラオケ端末装置と同じグループの他の各カラオケ端末装置に前記予約情報を送信し、
前記予約情報を受信した各カラオケ端末装置は前記端末予約情報格納手段に受信した予約情報を格納するとともに、前記端末予約情報格納手段に格納されている予約情報を前記表示手段により表示することを特徴とするカラオケ集中管理システム。
【請求項２】
前記一のカラオケ端末装置はカラオケ曲の演奏終了情報を前記中央装置に送信し、
前記演奏終了情報を受信した中央装置は前記予約情報格納手段に格納されている一のカラオケ端末装置の予約情報から前記カラオケ曲の予約情報を削除するとともに、前記端末グループ情報格納手段からグループ情報を読み込んで一のカラオケ端末装置と同じグループの他の各カラオケ端末装置に前記演奏終了情報を送信し、
前記演奏終了情報を受信した各カラオケ端末装置は前記端末予約情報格納手段の一のカラオケ端末装置の予約情報から前記カラオケ曲の予約情報を削除することを特徴とする請求項１記載のカラオケ集中管理システム。
【請求項３】
前記一のカラオケ端末装置から二のカラオケ端末装置の予約情報を受信した前記中央装置は前記端末グループ情報格納手段からグループ情報を読み込み、前記二のカラオケ端末装置が一のカラオケ端末装置と同じグループかどうか判定し、同じグループであれば前記予約情報を前記予約情報格納手段に二のカラオケ端末装置の予約情報として格納し、一のカラオケ端末装置と同じグループの全てのカラオケ端末装置に前記予約情報を送信することを特徴とする請求項１又は請求項２記載のカラオケ集中管理システム。
【請求項４】
前記端末予約情報格納手段の予約情報が端末装置別に表示されることを特徴とする請求項１乃至請求項３記載のカラオケ集中管理システム。
【発明の詳細な説明】
【０００１】
【発明の属する技術分野】
本発明は、中央装置と伝送回線を通じて接続された複数のカラオケ端末装置とから構成されるカラオケ集中管理システムに関し、特に、複数のカラオケ端末装置を一のグループとして相互にカラオケ曲の予約情報を表示し、又は相互に同一グループの他のカラオケ端末装置のカラオケ曲予約を行うことができるカラオケ集中管理システムに関するものである。
【０００２】
【従来の技術】
従来、カラオケ装置は多くの曲を演奏できる必要があるため、オートチェンジレーザディスクドライブ装置やオートチェンジコンパクトディスクドライブ装置等を搭載し、カラオケ曲データや映像データの格納に大きなスペースを取ってきた。そこで、最近では中央装置にカラオケ曲データや映像データの格納機能を１つにまとめ、中央装置から複数のカラオケ端末装置にカラオケ曲データと映像データを伝送するカラオケ集中管理システムが開発されてきた。この種のカラオケ集中管理システムは、個々の部屋に設置された複数のカラオケ端末装置と多数のカラオケ曲データと映像データを格納した中央装置とを伝送回線を介して接続したものである。このようなカラオケ集中管理システムにおいては、カラオケ曲データと映像データは中央装置の大容量のハードディスクドライブ等にディジタルデータとして記録されており、カラオケ曲を演奏する複数のカラオケ端末装置にも小容量のハードディスクドライブ等の記憶装置を搭載している。したがって、カラオケ曲を演奏をするとき等は、各カラオケ端末装置から中央装置にカラオケ曲の予約情報を伝送し、中央装置は前記予約情報を記憶し、該予約情報に基づいて予約されたカラオケ曲データと映像データを中央装置のカラオケ曲データや映像データの各データ格納部から、演奏終了毎に各カラオケ端末装置の小容量の記憶装置に伝送しておき、演奏を行えるようにしている。
【０００３】
【発明が解決しようとする課題】
しかしながら、このようなカラオケ集中管理システムにおいては、同一グループ間で複数部屋に設置されたカラオケ端末装置を利用する場合、予約曲の多い部屋では、なかなか予約曲が演奏されないが、予約曲の少ない部屋ではすぐに演奏されるというアンバランスが発生するという問題がある。
また、同一グループ間でも、他の部屋のカラオケ曲等の予約状況が部屋にいたままではわからないため、予約をした部屋と違う部屋に居ると、予約曲の演奏を聞き逃すというという問題がある。
さらに、同一グループ間でも、予約曲の少ない他の部屋にカラオケ曲等の予約をしたいが、部屋に居たままではできないという問題があった。
【０００４】
そこで、本発明は、上述した問題点を解決するためになされたものであり、中央装置に予め同一グループのカラオケ端末装置を登録しておくことにより、各カラオケ端末装置に、同一グループの他のカラオケ端末装置のカラオケ曲の演奏状況や予約状況が表示され、予約曲の少ないカラオケ端末装置を知ることができ、効率的にカラオケ曲等の予約を行うことが可能になるとともに、予約をした部屋と違う部屋に居ても、予約曲の演奏開始を知ることが可能なカラオケ集中管理システムを提供することを目的とする。
また、中央装置に予め同一グループのカラオケ端末装置を登録しておくことにより、カラオケ端末装置から同一グループの他のカラオケ端末装置のカラオケ曲の予約を行った場合、前記他のカラオケ端末装置のカラオケ曲の予約情報として中央装置に記憶され、違う部屋に居ながら、同一グループの他の部屋のカラオケ端末装置のカラオケ曲の予約を行うことが可能なカラオケ集中管理システムを提供することを目的とする。
【０００５】
【課題を解決するための手段】
この目的を達成するため請求項１に係るカラオケ集中管理システムは、受信したカラオケ曲の予約情報をカラオケ端末装置別に格納する予約情報格納手段と、複数のカラオケ端末装置が同じグループであることを表すグループ情報を入力する入力手段と、前記入力手段により入力されたグループ情報を格納する端末グループ情報格納手段とを備えた中央装置と、伝送回線を通じて中央装置と接続されており、カラオケ曲の予約情報を入力する端末入力手段と、受信したカラオケ曲の予約情報をカラオケ端末装置別に格納する端末予約情報格納手段と、前記端末予約情報格納手段に格納されているカラオケ曲の予約情報を合成した画像データを作成してカラオケ曲の演奏に対応させて表示する表示手段とを備えた複数のカラオケ端末装置とからなるカラオケ集中管理システムであって、前記中央装置は一のカラオケ端末装置から受信したカラオケ曲の予約情報を前記予約情報格納手段に格納するとともに、前記端末グループ情報格納手段からグループ情報を読み込んで一のカラオケ端末装置と同じグループの他の各カラオケ端末装置に前記予約情報を送信し、前記予約情報を受信した各カラオケ端末装置は前記端末予約情報格納手段に受信した予約情報を格納するとともに、前記端末予約情報格納手段に格納されている予約情報を前記表示手段により表示することを特徴とする。
【０００６】
このような特徴を有するカラオケ集中管理システムにおいては、複数のカラオケ端末装置のグループ情報を予め中央装置の端末グループ情報格納手段に入力しておくことにより、前記中央装置は一のカラオケ端末装置からカラオケ曲の予約情報を受信すると、前記予約情報を一のカラオケ端末装置のカラオケ曲の予約として予約情報格納手段に格納するとともに、一のカラオケ端末装置と同じグループのカラオケ端末装置を端末グループ情報格納手段から読み込み、前記カラオケ曲の予約情報を一のカラオケ端末装置と同じグループの他のカラオケ端末装置に送信する。
次に、前記カラオケ曲の予約情報を受信した一のカラオケ端末装置と同じグループの他のカラオケ端末装置は、前記端末予約情報格納手段に一のカラオケ端末装置の予約情報として格納する。そして、同じグループの各カラオケ端末装置は前記端末予約情報格納手段に格納されている各カラオケ端末装置の予約情報を前記表示手段により表示する。
【０００７】
これにより、中央装置に予め同一グループのカラオケ端末装置を登録しておくことにより、各カラオケ端末装置に、同一グループの他のカラオケ端末装置の最新のカラオケ曲の予約状況が表示され、予約曲の少ないカラオケ端末装置を知ることができ、効率的にカラオケ曲等の予約を行うことが可能になる。
【０００８】
また、請求項２に係るカラオケ集中管理システムは、請求項１に係るカラオケ集中管理システムにおいて、前記一のカラオケ端末装置はカラオケ曲の演奏終了情報を前記中央装置に送信し、前記演奏終了情報を受信した中央装置は前記予約情報格納手段に格納されている一のカラオケ端末装置の予約情報から前記カラオケ曲の予約情報を削除するとともに、前記端末グループ情報格納手段からグループ情報を読み込んで一のカラオケ端末装置と同じグループの他の各カラオケ端末装置に前記演奏終了情報を送信し、前記演奏終了情報を受信した各カラオケ端末装置は前記端末予約情報格納手段の一のカラオケ端末装置の予約情報から前記カラオケ曲の予約情報を削除することを特徴とする。
【０００９】
このような特徴を有するカラオケ集中管理システムにおいては、一のカラオケ端末装置はカラオケ曲データの演奏が終了すると前記端末予約情報格納手段に格納されている予約情報から当該カラオケ曲の予約情報を削除するとともに、演奏終了情報を中央装置に送信する。
次に、中央装置は前記演奏終了情報を受信すると、前記予約情報格納手段に格納されている一のカラオケ端末装置の予約情報から当該カラオケ曲の予約情報を削除して、前記端末グループ情報格納手段からグループ情報を読み込み、一のカラオケ端末装置と同じグループの他の各カラオケ端末装置に前記演奏終了情報を送信する。
次に、記演奏終了情報を受信した同じグループの他の各カラオケ端末装置は前記端末予約情報格納手段に格納されている一のカラオケ端末装置の予約情報から当該カラオケ曲の予約情報を削除し、各カラオケ端末装置は前記端末予約情報格納手段に格納されている各カラオケ端末装置の予約情報を前記表示手段により表示する。
【００１０】
これにより、各カラオケ端末装置に、同一グループの他のカラオケ端末装置の最新のカラオケ曲の演奏状況が表示され、予約をした部屋と違う部屋に居ても、予約曲の演奏開始を知ることが可能になる。
【００１１】
また、請求項３に係るカラオケ集中管理システムは、請求項１又は請求項２に係るカラオケ集中管理システムにおいて、前記一のカラオケ端末装置から二のカラオケ端末装置の予約情報を受信した前記中央装置は前記端末グループ情報格納手段からグループ情報を読み込み、前記二のカラオケ端末装置が一のカラオケ端末装置と同じグループかどうか判定し、同じグループであれば前記予約情報を前記予約情報格納手段に二のカラオケ端末装置の予約情報として格納し、一のカラオケ端末装置と同じグループの全てのカラオケ端末装置に前記予約情報を送信することを特徴とする
【００１２】
このような特徴を有するカラオケ集中管理システムにおいては、一のカラオケ端末装置に同じグループの他のカラオケ端末装置のカラオケ曲の予約情報を入力すると、一のカラオケ端末装置から中央装置に前記予約情報が送信される。
次に、中央装置は、一のカラオケ端末装置から前記予約情報を受信すると、前記端末グループ情報格納手段からグループ情報を読み込み、前記他のカラオケ端末装置が一のカラオケ端末装置と同一グループのカラオケ端末装置かどうか判定する。そして、前記他のカラオケ端末装置が一のカラオケ端末装置と同一グループのカラオケ端末装置であれば、前記予約情報を他のカラオケ端末装置の予約情報として予約情報格納手段に格納するとともに、一のカラオケ端末装置と同じグループの全ての各カラオケ端末装置に前記予約情報を送信する。
次に、前記予約情報を受信した各カラオケ端末装置は、前記端末予約情報格納手段に前記他のカラオケ端末装置の予約情報として格納し、各カラオケ端末装置は前記端末予約情報格納手段に格納されている各カラオケ端末装置の予約情報を前記表示手段により表示する。
【００１３】
これにより、中央装置に予め同一グループのカラオケ端末装置を登録しておくことにより、各カラオケ端末装置から同一グループの他のカラオケ端末装置のカラオケ曲の予約を行った場合、前記他のカラオケ端末装置のカラオケ曲の予約情報として中央装置に記憶されるとともに、同一グループの各カラオケ端末装置に前記予約情報が送信されることにより、違う部屋に居ながら、同一グループの他の部屋のカラオケ端末装置のカラオケ曲の予約を行うことが可能になる。
【００１４】
また、請求項４に係るカラオケ集中管理システムは、請求項１乃至請求項３に係るカラオケ集中管理システムにおいて、前記端末予約情報格納手段の予約情報が端末装置別に表示されることを特徴とする
【００１５】
このような特徴を有するカラオケ集中管理システムにおいては、各カラオケ端末装置の前記端末予約情報格納手段に格納されている同じグループの各カラオケ端末装置の予約情報が各カラオケ端末装置別に表示され、一目で同じグループの各カラオケ端末装置の予約状況を容易に認識することができ、より効率的にカラオケ曲等の予約を行うことが可能になる。
【００１６】
【発明の実施の形態】
以下、本発明に係るカラオケ集中管理システムについて、本発明を具体化した実施の形態に基づき図面を参照して詳細に説明する。先ず、本実施の形態のカラオケ集中管理システムの構成を図１及び図２に基づいて説明する。図１は本実施形態に係わるカラオケ集中管理システムの中央装置のシステム構成を示すブロック図である。図２は本実施形態に係わるカラオケ集中管理システムのカラオケ端末装置のシステム構成を示すブロック図である。
図１において、中央装置１には複数のカラオケ端末装置２が接続されている。また、中央装置１とカラオケ端末装置２との接続はRS-232Cケーブルや同軸ケーブル等により接続されている。
【００１７】
ここで、本実施形態に係わる中央装置１は、図１に示すように、中央装置１全体の機器を制御するサーバ３、ホストコンピュータ（図示されていない）から公衆電話回線４を介してカラオケ曲情報等の配信を受けるための通信を行うモデム５、ホストコンピュータから配信を受けたＭＩＤＩ（  Music Instrument Digital Interface  ）規格の曲データを記録するためのサーバ３に内蔵されたハードディスクドライブ（以下、ＨＤＤという）６、送受信データや各種処理データを格納しておく記憶装置７、各種命令をサーバ３に入力するための入力装置８、多数の映像データを格納しておりサーバ３の指示により再生する複数のレーザディスクプレーヤ９、サーバ３からの指示をレーザディスクプレーヤ９に伝える入出力インタフェース１０、カラオケ端末装置２からの予約情報等のＲＦ信号をディジタル信号に復調し、また、ＭＩＤＩ規格の曲データや予約曲情報等のディジタル信号をＲＦ信号に変調するＲＦモデム１１、及び、曲データ・映像データ・予約曲情報等の信号を混合してカラオケ端末装置２に送出するヘッドアンプ１２を有している。
【００１８】
また、本実施形態に係わるカラオケ端末装置２は、図２に示すように、カラオケ端末装置２全体の機器を制御するＣＰＵ１３、中央装置１からの信号を受けるシリアルインターフェース１４、中央装置１からの曲データを一時的に格納する曲データ一時メモリ１５、中央装置１からの映像データを一時的に格納する映像データ一時メモリ１６、各種制御用処理データを格納しておく制御用メモリ１７、ＭＩＤＩ規格データを復調するＭＩＤＩ装置１８、演奏信号と音声信号を合成・増幅するアンプ１９、音声信号を取り込むマイク２０、スピーカ２１、映像データ一時メモリ１６から背景画情報や制御用メモリ１７から予約情報等を選択して画像データを作成する画面制御装置２２、ＭＩＤＩ装置からの歌詞データ等と前記画像データを合成した映像データを作成してカラオケ曲の演奏に同期させて出力するビデオミキサ２３、前記映像データを表示するモニタ２４、及び、利用者が予約情報等を入力するための操作パネル２５やリモコン装置２６を有している。
【００１９】
このように構成された本実施形態のカラオケ集中管理システムは、ホストコンピュータから定期的に公衆電話回線４を通じ、モデム５を介してＭＩＤＩ規格のカラオケ曲情報の配信を受け、サーバ３は受信した前記カラオケ曲情報を内蔵ＨＤＤ６に格納する。
次に、サーバ３は記憶装置７に格納されている各カラオケ端末装置２の予約情報に基づいて、ＨＤＤ６に格納されているカラオケ曲情報を読み込み、前記カラオケ曲情報に基づいて、カラオケ曲データをＲＦモデム１１によりＲＦ信号に変調してヘッドアンプ１２に出力するとともに、入出力インターフェース１０を介して、レーザディスクプレーヤ９に格納されている映像データをヘッドアンプ１２に出力して、前記カラオケ曲の予約を行ったカラオケ端末装置２に送信する。
【００２０】
次に、カラオケ端末装置２は、シリアルインターフェース１４を介して、受信した前記ＲＦ信号のカラオケ曲データと映像データをディジタルデータに復調して、各々曲データ一時メモリ１５、映像データ一時メモリ１７に格納する。そして、制御用メモリ１７に格納されている予約情報等に基づいて、曲データ一時メモリ１５のカラオケ曲データはＭＩＤＩ装置１８に出力され、ＭＩＤＩ装置１８は入力されたカラオケ曲データをアナログ信号に変調し、アンプ１９に出力する。アンプ１９はマイク２０から入力された音声信号と前記アナログ信号とをミキシングし、スピーカ２１からカラオケ曲が演奏される。
また、画面制御装置２２は映像データ一時メモリ１６から背景画情報等を読み込むとともに、制御用メモリ１７から同一グループの予約情報等読み込み、これらのデータを合成して画像データを作成して、ビデオミキサ２３に出力する。ビデオミキサ２３はＭＩＤＩ装置１８から入力された歌詞データ等と前記画像データとを合成して、カラオケ曲の演奏に合わせてモニタ２４に出力する。
【００２１】
次に、このように構成された本実施形態のカラオケ集中管理システムの同一グループの予約情報を各カラオケ端末装置２のモニタ２４に表示する処理を図３乃至図６に基づいて説明する。図３は各カラオケ端末装置２のカラオケ曲予約を行ったときの表示処理等のフローチャートである。図４は同一グループの部屋のリクエスト状況をモニタに表示する例である。図５は各カラオケ端末装置２のカラオケ曲演奏終了時の表示処理等のフローチャートである。図６は、各カラオケ端末装置２から他のカラオケ端末装置２のカラオケ曲予約を行ったときの表示処理等のフローチャートである。
【００２２】
先ず、各カラオケ端末装置２から、当該カラオケ端末装置２において演奏されるカラオケ曲を予約した場合の処理を図３の表示処理等のフローチャートに基づいて説明する。図３に示すように、先ず、複数のカラオケ端末装置２が同じグループであれば（Ｓ１：ＹＥＳ）、中央装置１の入力装置８により同一グループの複数のカラオケ端末装置２の端末名が入力され、サーバ３は記憶装置７に前記端末名を同一グループのグループ情報として格納する（Ｓ２）。また、グループでない場合は（Ｓ１：ＮＯ）、グループ情報は入力されない。
【００２３】
次に、一のカラオケ端末装置２の利用者が操作パネル２５又はリモコン装置２６によりカラオケ曲予約の予約情報を入力すると（Ｓ３）、前記カラオケ曲の予約情報が一のカラオケ端末装置２の制御用メモリ１７に一のカラオケ端末装置２の予約情報として格納されるとともに、シリアルインターフェース１４を介して中央装置１に送信される（Ｓ４）。
【００２４】
次に、中央装置１のサーバ３は、ＲＦモデム１１を介して受信した前記予約情報を記憶装置７に一のカラオケ端末装置２の予約情報として格納する（Ｓ５）。次に、中央装置１のサーバ３は、記憶装置７の前記グループ情報を読み込み（Ｓ６）、一のカラオケ端末装置２に同一グループのカラオケ端末装置２があるかどうか判定し（Ｓ７）、同一グループのカラオケ端末装置２があれば（Ｓ７：ＹＥＳ）、前記予約情報を一のカラオケ端末装置２の予約情報として同一グループの他の各カラオケ端末装置２に送信する（Ｓ８）。
【００２５】
次に、同一グループの他の各カラオケ端末装置２は、前記予約情報をシリアルインタフェース１４を介して受信すると、一のカラオケ端末装置２の予約情報として制御用メモリ１７に格納する（Ｓ９）。
【００２６】
また、一のカラオケ端末装置２に同一グループのカラオケ端末装置２がなけば（Ｓ７：ＮＯ）、一のカラオケ端末装置２の予約情報は中央装置１から他のカラオケ端末装置２に送信されない。
【００２７】
次に、各カラオケ端末装置２は、制御用メモリ１７に格納されている同一グループの予約情報を画面制御装置２２により映像データと合成し、モニタ２４に表示する（Ｓ１０）。
【００２８】
ここで、３部屋Ａ、Ｂ、Ｃの各カラオケ端末装置２が同一グループである場合の、部屋Ａのモニタ２４の表示を図４に基づいて説明する。図４は部屋Ａのモニタ２４の表示画面３０の例である。図４において、モニタ２４の表示画面３０の上部には、部屋Ａのカラオケ端末装置２の制御用メモリ１７に格納されている予約情報の各部屋Ａ、Ｂ、Ｃのリクエスト状況が表示されている。また、各部屋のリクエストの１番のリクエスト曲名が、各部屋において演奏されているカラオケ曲の曲名である。さらに、部屋Ａの演奏中の１番のリクエスト曲名には、◆印が曲ナンバーの横側に表示されている。
また、各部屋Ｂ、Ｃのモニタ２４の表示画面上部にも、各部屋Ｂ、Ｃのカラオケ端末装置２の制御用メモリ１７に格納されている予約情報の各部屋Ａ、Ｂ、Ｃのリクエスト状況が表示されている。そして、各部屋Ｂ、Ｃの演奏中の１番のリクエスト曲名には、◆印が曲ナンバーの横側に表示されている。
【００２９】
次に、各カラオケ端末装置２においてカラオケ曲の演奏が終了した場合の、予約情報の更新処理を図５のカラオケ曲演奏終了時の表示処理等のフローチャートに基づいて説明する。先ず、一のカラオケ端末装置２はカラオケ曲が終了するまで演奏を続け（Ｓ２１：ＮＯ）、演奏が終了すると（Ｓ２１：ＹＥＳ）、制御用メモリ１７に格納されている予約情報から当該カラオケ曲の予約情報を削除し、予約情報の優先順位を更新する（Ｓ２２）。次に、当該カラオケ曲の演奏終了を中央装置１にシリアルインターフェース１４を介して送信する（Ｓ２３）。
【００３０】
次に、中央装置１のサーバ３は、前記カラオケ曲の演奏終了をＲＦモデム１１を介して受信すると、記憶装置７に格納されている一のカラオケ端末装置２の予約情報から当該カラオケ曲の予約情報を削除し、一のカラオケ端末装置２の予約情報の優先順位を更新する（Ｓ２４）。次に、サーバ３は、記憶装置７の前記グループ情報を読み込み（Ｓ２５）、一のカラオケ端末装置２に同一グループのカラオケ端末装置２があるかどうか判定し（Ｓ２６）、同一グループのカラオケ端末装置２があれば（Ｓ２６：ＹＥＳ）、同一グループの他の各カラオケ端末装置２に前記カラオケ曲の予約情報を一のカラオケ端末装置２の予約情報から削除して、一のカラオケ端末装置２の予約情報の優先順位を更新するように削除命令を送信する（Ｓ２７）。
【００３１】
次に、前記削除命令を受信した、同一グループの他の各カラオケ端末装置２は、制御用メモリ１７に格納されている一のカラオケ端末装置２の予約情報から当該カラオケ曲の予約情報を削除し、一のカラオケ端末装置２の予約情報の優先順位を更新する（Ｓ２８）。
【００３２】
また、一のカラオケ端末装置２に同一グループのカラオケ端末装置２がなけば（Ｓ２６：ＮＯ）、前記削除命令は他のカラオケ端末装置２には送られない。
【００３３】
次に、サーバ３は、記憶装置７に格納されている一のカラオケ端末装置２の予約情報を読み込み、最も優先順位の高いリクエスト曲のカラオケ曲データと映像データを一のカラオケ端末装置２に送信する（Ｓ２９）。
【００３４】
次に、一のカラオケ端末装置２は、前記カラオケ曲データと映像データをシリアルインターフェース１４を介して受信し、曲データ一時メモリ１５と映像データ一時メモリ１６に各々格納する（Ｓ３０）。
【００３５】
次に、各カラオケ端末装置２は、制御用メモリ１７に格納されている同一グループの予約情報を画面制御装置２２により映像データと合成し、モニタ２４に表示する（Ｓ３１）。
【００３６】
次に、各カラオケ端末装置２から同一グループの他のカラオケ端末装置２のカラオケ曲の予約をする場合の処理を、図６の各カラオケ端末装置２から他のカラオケ端末装置２のカラオケ曲予約を行ったときの表示処理等のフローチャートに基づいて説明する。先ず、一のカラオケ端末装置２の利用者が操作パネル２５又はリモコン装置２６により二のカラオケ端末装置２のカラオケ曲予約の予約情報を入力すると（Ｓ４１）、前記カラオケ曲の予約情報が一のカラオケ端末装置２において入力された二のカラオケ端末装置２の予約情報としてシリアルインターフェース１４を介して中央装置１に送信される（Ｓ４２）。
【００３７】
次に、中央装置１のサーバ３は、ＲＦモデム１１を介して前記予約情報を受信すると、記憶装置７の前記グループ情報を読み込み（Ｓ４３）、二のカラオケ端末装置２が一のカラオケ端末装置２と同じグループかどうか判定し（Ｓ４４）、同一グループのカラオケ端末装置２であれば（Ｓ４４：ＹＥＳ）、前記予約情報を二のカラオケ端末装置２の最も低い優先順位の予約情報として記憶装置７に格納する（Ｓ４５）。
次に、前記同一グループの全てのカラオケ端末装置２に、二のカラオケ端末装置２の最も低い優先順位の予約情報として送信する（Ｓ４６）。
【００３８】
次に、前記同一グループの各カラオケ端末装置２は、前記予約情報をシリアルインタフェース１４を介して受信すると、二のカラオケ端末装置２の最も低い優先順位の予約情報として制御用メモリ１７に格納する（Ｓ４７）。
【００３９】
また、二のカラオケ端末装置２が一のカラオケ端末装置２と同じグループでない場合は（Ｓ４４：ＮＯ）、前記予約情報は中央装置１から各カラオケ端末装置２へ送信されない。
【００４０】
次に、各カラオケ端末装置２は、制御用メモリ１７に格納されている同一グループの予約情報を画面制御装置２２により映像データと合成し、モニタ２４に表示する（Ｓ４８）。
【００４１】
よって、中央装置１に予め同一グループのカラオケ端末装置２の端末名を登録しておくことにより、各カラオケ端末装置２にカラオケ曲の予約情報を入力すると、中央装置１から同一グループの他のカラオケ端末装置２に前記予約情報が送信され、また、各カラオケ端末装置２から中央装置１へカラオケ曲の演奏終了が送信されると、中央装置１から同一グループの他のカラオケ端末装置２に前記演奏終了が送信されるため、同一グループのカラオケ端末装置２は、同一グループの他のカラオケ端末装置２の最新の予約情報を得ることができる。したがって、各カラオケ端末装置２は、同一グループの他のカラオケ端末装置２の最新のカラオケ曲の演奏状況や予約状況も表示することができるため、各カラオケ端末装置２が設置されている部屋に居ながら、同一グループの他の部屋の予約曲が少ないカラオケ端末装置２を知ることができ、効率的にカラオケ曲等の予約を行うことが可能になる。また、予約をした部屋と違う同一グループの部屋に居ても、予約曲の演奏開始を知ることが可能になる。
さらに、中央装置１に予め同一グループのカラオケ端末装置２の端末名を登録しておくことにより、一のカラオケ端末装置２に同一グループの二のカラオケ端末装置２のカラオケ曲の予約情報を入力すると、中央装置１は一のカラオケ端末装置２と二のカラオケ端末装置２とが同一グループかどうか判定し、同一グループであれば二のカラオケ端末装置２の予約情報として格納するとともに、同一グループのカラオケ端末装置２に前記予約情報を送信されるため、同一グループのカラオケ端末装置２は、二のカラオケ端末装置２の最新の予約情報を得ることができる。したがって、各カラオケ端末装置２から違う部屋に設置されている同一グループの他のカラオケ端末装置２のカラオケ曲の予約を行うことが可能になるとともに、より効率的にカラオケ曲等の予約を行うことが可能になる。
【００４２】
尚、本発明は前記実施の形態に限定されるものでなく、本発明の要旨を逸脱しない範囲内で種々の改良、変更が可能であることは勿論であり、以下のようにしてもよい。
（ａ）本実施形態では、中央装置１の映像データ格納・再生部をレーザディスクプレーヤ９により構成しているが、ＤＶＤ（ digital video disc ）等で構成してもよい。
（ｂ）本実施形態では、複数のカラオケ端末装置２の利用開始時に、同一グループの端末名を登録しているが、利用開始後、途中時点において同一グループの端末名を登録してもよい。
（ｃ）本実施形態では、複数のカラオケ端末装置２の利用開始時だけ同一グループの端末名を登録しているが、途中で同一グループの端末名を追加できる構成にしてもよい。
（ｄ）本実施形態では、モニタ２４に常時同一グループの各カラオケ端末装置２の予約情報を表示しているが、操作パネル２５やリモコン装置２６からモニタ表示命令を入力することにより、同一グループの任意のカラオケ端末装置２のみの予約情報を表示できるようにしたり、又は、予約情報の表示を中止できる構成にしてもよい。
【００４３】
【発明の効果】
以上説明した通り、請求項１に係るカラオケ集中管理システムによれば、複数のカラオケ端末装置のグループ情報を予め中央装置の端末グループ情報格納手段に入力しておくことにより、前記中央装置は一のカラオケ端末装置からカラオケ曲の予約情報を受信すると、前記予約情報を一のカラオケ端末装置のカラオケ曲の予約として予約情報格納手段に格納するとともに、一のカラオケ端末装置と同じグループのカラオケ端末装置を端末グループ情報格納手段から読み込み、前記カラオケ曲の予約情報を一のカラオケ端末装置と同じグループの他のカラオケ端末装置に送信する。
次に、前記カラオケ曲の予約情報を受信した一のカラオケ端末装置と同じグループの他のカラオケ端末装置は、前記端末予約情報格納手段に一のカラオケ端末装置の予約情報として格納する。そして、同じグループの各カラオケ端末装置は前記端末予約情報格納手段に格納されている各カラオケ端末装置の予約情報を前記表示手段により表示する。
【００４４】
これにより、中央装置に予め同一グループのカラオケ端末装置を登録しておくことにより、各カラオケ端末装置に、同一グループの他のカラオケ端末装置の最新のカラオケ曲の予約状況が表示され、予約曲の少ないカラオケ端末装置を知ることができ、効率的にカラオケ曲等の予約を行うことが可能なカラオケ集中管理システムを提供することができる。
【００４５】
また、請求項２に係るカラオケ集中管理システムによれば、一のカラオケ端末装置はカラオケ曲データの演奏が終了すると前記端末予約情報格納手段に格納されている予約情報から当該カラオケ曲の予約情報を削除するとともに、演奏終了情報を中央装置に送信する。
次に、中央装置は前記演奏終了情報を受信すると、前記予約情報格納手段に格納されている一のカラオケ端末装置の予約情報から当該カラオケ曲の予約情報を削除して、前記端末グループ情報格納手段からグループ情報を読み込み、一のカラオケ端末装置と同じグループの他の各カラオケ端末装置に前記演奏終了情報を送信する。
次に、記演奏終了情報を受信した同じグループの他の各カラオケ端末装置は前記端末予約情報格納手段に格納されている一のカラオケ端末装置の予約情報から当該カラオケ曲の予約情報を削除し、各カラオケ端末装置は前記端末予約情報格納手段に格納されている各カラオケ端末装置の予約情報を前記表示手段により表示する。
【００４６】
これにより、各カラオケ端末装置に、同一グループの他のカラオケ端末装置の最新のカラオケ曲の演奏状況が表示され、予約をした部屋と違う部屋に居ても、予約曲の演奏開始を知ることが可能なカラオケ集中管理システムを提供することができる。
【００４７】
また、請求項３に係るカラオケ集中管理システムによれば、一のカラオケ端末装置に同じグループの他のカラオケ端末装置のカラオケ曲の予約情報を入力すると、一のカラオケ端末装置から中央装置に前記予約情報が送信される。
次に、中央装置は、一のカラオケ端末装置から前記予約情報を受信すると、前記端末グループ情報格納手段からグループ情報を読み込み、前記他のカラオケ端末装置が一のカラオケ端末装置と同一グループのカラオケ端末装置かどうか判定する。そして、前記他のカラオケ端末装置が一のカラオケ端末装置と同一グループのカラオケ端末装置であれば、前記予約情報を他のカラオケ端末装置の予約情報として予約情報格納手段に格納するとともに、一のカラオケ端末装置と同じグループの全ての各カラオケ端末装置に前記予約情報を送信する。
次に、前記予約情報を受信した各カラオケ端末装置は、前記端末予約情報格納手段に前記他のカラオケ端末装置の予約情報として格納し、各カラオケ端末装置は前記端末予約情報格納手段に格納されている各カラオケ端末装置の予約情報を前記表示手段により表示する。
【００４８】
これにより、中央装置に予め同一グループのカラオケ端末装置を登録しておくことにより、各カラオケ端末装置から同一グループの他のカラオケ端末装置のカラオケ曲の予約を行った場合、前記他のカラオケ端末装置のカラオケ曲の予約情報として中央装置に記憶されるとともに、同一グループの各カラオケ端末装置に前記予約情報が送信されることにより、違う部屋に居ながら、同一グループの他の部屋のカラオケ端末装置のカラオケ曲の予約を行うことが可能なカラオケ集中管理システムを提供することができる。
【００４９】
さらに、請求項４に係るカラオケ集中管理システムによれば、各カラオケ端末装置の前記端末予約情報格納手段に格納されている同じグループの各カラオケ端末装置の予約情報が各カラオケ端末装置別に表示され、一目で同じグループの各カラオケ端末装置の予約状況を容易に認識することができ、より効率的にカラオケ曲等の予約を行うことが可能なカラオケ集中管理システムを提供することができる。
【図面の簡単な説明】
【図１】本実施形態に係わるカラオケ集中管理システムの中央装置のシステム構成を示すブロック図である。
【図２】本実施形態に係わるカラオケ集中管理システムのカラオケ端末装置のシステム構成を示すブロック図である。
【図３】本実施形態に係わるカラオケ集中管理システムの各カラオケ端末装置のカラオケ曲予約を行ったときの表示処理等のフローチャートである。
【図４】本実施形態に係わるカラオケ集中管理システムの３部屋Ａ、Ｂ、Ｃの各カラオケ端末装置が同一グループである場合の、部屋Ａのモニタ表示画面の一例である。
【図５】本実施形態に係わるカラオケ集中管理システムの各カラオケ端末装置のカラオケ曲演奏終了時の表示処理等のフローチャートである。
【図６】本実施形態に係わるカラオケ集中管理システムの各カラオケ端末装置から他のカラオケ端末装置のカラオケ曲予約を行ったときの表示処理等のフローチャートである。
【符号の説明】
１  中央装置
２  カラオケ端末装置
３  サーバ
６  ＨＤＤ
７  記憶装置
８  入力装置
９  レーザディスクプレーヤ
１１  ＲＦモデム
１２  ヘッドアンプ
１３  ＣＰＵ
１５  曲データ一時メモリ
１６  映像データ一時メモリ
２２  画面制御装置
２３  ビデオミキサ
２４  モニタ
２５  操作パネル
２６  リモコン装置
【図１】
0003942114.tif 000002
【図２】
0003942114.tif 000003
【図３】
0003942114.tif 000004
【図４】
0003942114.tif 000005
【図５】
0003942114.tif 000006
【図６】
0003942114.tif 000007